(57)【要約】  本発明は、施設用水系および工業用水系からなる群から選択される一の水系へ分配するために、固形ケミカルブロックから水処理用溶液を作製するための装置、を提供する。この装置は、固形ケミカルブロックを収容できるハウジングを具備する。流体（好ましくは環境温度の水）は、該ブロックを溶解するためにハウジング内へ導入され、施設用水系又は工業用水系のいずれかに配合されてもよい溶液をなす。装置を用いた溶液の配合方法も、また、提供される。
2007535404.tif 000002
【特許請求の範囲】
【請求項１】
室を画定する内面と、
内面とケミカルブロックの外周との隙間を形成するために、少なくとも一のケミカルブロックを設置するための内面に沿って間隙を介して配置されている複数のガイド部材と、
少なくとも一のケミカルブロックを室内で支持するための多孔質支持部材と、
スプレーを少なくとも室の垂直方向長さの一部に沿って上方に向けるための支持部材の下に位置しており、溶液をつくるためにスプレーがブロックの表面に接触する、スプレー部材と、
を具備する固形ケミカルブロックから化学溶液を配合するための容器。
【請求項２】
前記容器は可動である、請求項１に記載の容器。
【請求項３】
溶液を受容するための下方区域をさらに具備している、請求項１に記載の容器。
【請求項４】
前記容器が、施設用水系および工業用水系からなる群から選択される一の水系と液体で連通する、請求項１に記載の容器。
【請求項５】
流体スプレーの一部が、ブロックの表面に接触する前に前記内面に作用する、請求項１に記載の容器。
【請求項６】
流体スプレーの一部が、ブロックの表面に接触する前に前記複数のガイド部材に作用する、請求項１に記載の容器。
【請求項７】
前記流体スプレーがブロックの底面および側面に接触する、請求項１に記載の容器。
【請求項８】
前記複数のガイド部材の間に実質的に垂直方向に配置されている、複数のケミカルブロックをさらに具備する、請求項１に記載の容器。
【請求項９】
流体スプレーの一部が第２ブロックの表面に接触する、請求項８に記載の容器。
【請求項１０】
流体スプレーの一部が、前記第２ブロックの表面に接触する前に、前記室の内面に接触する、請求項９に記載の容器。
【請求項１１】
前記多孔質支持部材はスクリーンである、請求項１に記載の容器。
【請求項１２】
前記スプレーの温度は環境温度である、請求項１に記載の容器。
【請求項１３】
ハウジングの上端へ枢動可能に取り付けられており、開放位置と閉鎖位置との間で可動であるカバーと、
カバーの位置を探知するための探知装置であって、該探知装置は、スプレー部材と液体で連通している流体源と作動中に連通しており、カバーが開放位置にあるとき、スプレー部材への流体の配送を阻止するように設定されているもの、
をさらに具備する、請求項１に記載の容器。
【請求項１４】
コンテナ内に存在する溶液の量を検出するための検出装置であって、該検出装置は、スプレー部材と液体で連通している流体源と作動中に連通しており、溶液の量がコンテナ内で閾値を下回るとき、流体源を開放するように設定されているもの、
をさらに具備する、請求項１に記載の容器。
【請求項１５】
室を画定する内面と、
テーパー壁を有する環状スリーブと、
ブロックの表面を露出するためにテーパー壁の内面と支持的に接触する周辺端部を有する、少なくとも一のケミカルブロックと、
スプレーを前記スリーブの垂直方向長さに沿って上方に向けるために前記スリーブの下に位置しているスプレー部材であって、前記スプレーは溶液を作製するために前記ブロックの表面と接触し、前記テーパー壁は前記内面から前記スプレー部材に向けて延在しているもの、
を具備する、固形ケミカルブロックから化学溶液を配合するための容器。
【請求項１６】
ブロックの底面が前記スプレー部材に対して露出されている、請求項１５に記載の容器。
【請求項１７】
前記露出された底面の領域は、スプレーが該底面に接触する領域と実質的に同一のままである、請求項１５に記載の容器。
【請求項１８】
前記スプレー部材は、実質的に均一な流体スプレーをブロック上に向けている、請求項１５に記載の容器。
【請求項１９】
溶液を受容するためのコンテナをさらに具備する、請求項１５に記載の容器。
【請求項２０】
前記容器は可動である、請求項１５に記載の容器。
【請求項２１】
前記スプレーの温度が環境温度である、請求項１５に記載の容器。
【請求項２２】
互いに上下にくっついている複数のケミカルブロックであって、最も下のブロックは、テーパー壁の内面で支持的に接触する周辺端部を有しているもの、
をさらに具備する、請求項１５に記載の容器。
【請求項２３】
前記容器は、施設用水系又は工業用水系からなる群から選択される一の水系と液体で連通する、請求項１５に記載の容器。
【請求項２４】
ハウジングの上端へ枢動可能に取り付けられており、開放位置と閉鎖位置との間で可動であるカバーと、
カバーの位置を探知するための探知装置であって、該探知装置はスプレー部材と液体で連通している流体源と作動中に連通しており、カバーが開放位置にあるとき、スプレー部材への流体の配送を阻止するように設定されているもの、
をさらに具備する、請求項１５に記載の容器。
【請求項２５】
前記コンテナ内に存在する溶液の量を検出するための検出装置であって、該検出装置は、スプレー部材と液体で連通している流体源と作動中に連通しており、溶液の量がコンテナ内で閾値を下回るとき、流体源を開放するように設定されているもの、
をさらに具備する、請求項１５に記載の容器。
【請求項２６】
内室を有するハウジングと、
内室中でケミカルブロックを支持するためのハウジング内における多孔質支持部材と、
流体を室に導入するための流体注入口であって、前記流体が、溶液をつくるために、ケミカルブロックの少なくとも一部を溶解するものと、
溶液を受容するためのコンテナと、
前記コンテナ内に存在する溶液の量を検出するための検出装置であって、該検出装置は流体注入口と作動中に連通しており、溶液の量が前記コンテナ内で閾値を下回るとき、流体を導入するように流体注入口を設定しているものと、
を具備する、固形ケミカルブロックから化学溶液を作製するための装置。
【請求項２７】
前記流体注入口は所定量の流体を導入する、請求項２６に記載の装置。
【請求項２８】
前記流体注入口は流体を所定時間で導入する、請求項２６に記載の装置。
【請求項２９】
前記多孔質支持部材は、スクリーン又はスクリーン・バスケットからなる群から選択される、請求項２６に記載の装置。
【請求項３０】
複数のケミカルブロックをさらに具備する、請求項２６に記載の装置。
【請求項３１】
前記装置は可動である、請求項２６に記載の装置。
【請求項３２】
前記流体の温度は環境温度である、請求項２６に記載の装置。
【請求項３３】
前記コンテナは、施設用水系又は工業用水系からなる群から選択される一の水系と液体で連通する、請求項２６に記載の装置。
【請求項３４】
室を画定するハウジングと、
室内に配置された複数の固形ケミカルブロックと、
流体を室内に導入するための流体注入口であって、少なくとも二以上のブロックが流体と接触して実質同時に溶解し、溶液を作製するものと、
溶液を室から放出するために室と液体で連通している排出部材と、
を具備する、化学溶液の作製装置。
【請求項３５】
前記流体注入口は前記ハウジングの注入口側にあり、前記排出部材は前記ハウジングの反対側にある、請求項３４に記載の装置。
【請求項３６】
前記流体注入口は前記ハウジングの上端にある、請求項３５に記載の装置。
【請求項３７】
前記複数のブロックは、実質的に垂直方向にくっつくように配置されている、請求項３４に記載の装置。
【請求項３８】
前記流体は、環境温度の水である、請求項３４に記載の装置。
【請求項３９】
前記排出部材は、施設水系又は工業水系からなる群から選択される水系と液体で連通している、請求項３４に記載の装置。
【請求項４０】
前記装置は可動である、請求項３４に記載の装置。
【請求項４１】
室を有するハウジングと、
室内に配置された固形ケミカルブロックと、
流体を室の第１端部に導入するための流体注入口であって、前記流体は、前記ケミカルブロックと接触して、少なくとも前記ブロックの一部を溶解し、溶液を作製するものと、
第１端部とは反対端部にある流体排出口であって、室内を通じて流体の逆流をつくり出しているものと、
を具備する、固形ケミカルブロックから化学溶液を製造する装置。
【請求項４２】
前記第１端部は室の下端にあり、前記反対の端部は室の上端にある、請求項４１に記載の装置。
【請求項４３】
室内で実質的に垂直方向に配置されている、複数のケミカルブロックをさらに具備する、請求項４１に記載の装置。
【請求項４４】
少なくとも一のブロックは流体と接触していない、請求項４１に記載の装置。
【請求項４５】
流体排出口からの溶液を受容するためのコンテナと、
該コンテナ内に存在する溶液の量を検出するための検出装置であって、該検出装置は流体注入口と作動中に連通しており、溶液の量がコンテナ内の閾値を下回るとき、流体注入口が流体を導入するように設定されているものと、
をさらに具備する、請求項４１に記載の装置。
【請求項４６】
前記流体の温度が環境温度である、請求項４１に記載の装置。
【請求項４７】
前記装置は可動である、請求項４１に記載の装置。
【請求項４８】
前記排出部材は工業用水系と液体で連通している、請求項４１に記載の装置。
【請求項４９】
内室を画定する内面と、
前記内面と前記ケミカルブロックの外周との間に隙間を形成して、少なくとも一のケミカルブロックを配置して、内室と前記ブロックの外周との間に間隙を形成するために、室の内面に沿って間隙を介して配置されている複数のガイド部材と、
室内で少なくとも一のケミカルブロックを支持している多孔質支持部材と、
スプレーを内室の垂直方向長さに沿って上方に向けるために支持部材の下に位置しているスプレー部材と、を有しており、
前記スプレーはブロックの表面に接触する、容器と、
前記容器と液体で連通する水系と、
を具備する設備であって、
前記設備は、施設用設備および工業用設備からなる群から選択され、水系は、施設用設備および工業用設備からなる群から選択される設備。
【請求項５０】
前記設備は工業用設備であって、その水系は、冷却水系、開放再循環冷却水系、閉鎖冷却水系、貫流冷却水系、ボイラー、ボイラー水系、石油坑水系、油井穴形成、地熱井、油田水系、鉱物洗浄系、浮遊水系、施し水系（ｂｅｎｅｆａｃｔｉｏｎ  ｗａｔｅｒ  ｓｙｓｔｅｍｓ）、製紙用装置、洗浄機、漂白装置、白水系、黒液蒸発機、ガス洗浄機、空気洗浄機、冶金の連続鋳造プロセス、空調装置、冷凍装置、工業加工用水系、石油精製水系、間接接触冷却設備、間接接触温水系、殺菌水系、水再生および浄化装置、膜ろ過水系、食品加工装置および廃棄物処理装置、
からなる群から選択される工業用水系である、請求項４９に記載の設備。
【請求項５１】
前記設備は、ホテル、病院、保険施設、養護施設、教育機関構内、装飾的噴水、入浴槽、渦流浴の浴槽、水泳プール、親水公園、および多量の非飲料水を要求するテーマパークの娯楽施設、並びに他のレクリエーション施設、からなる群から選択される施設用設備であり、
前記水系は施設用水系である、請求項４９に記載の設備。
【請求項５２】
内部に水処理剤を含有する、少なくとも二の固形ケミカルブロックを有するハウジングを提供することと、
流体をハウジングに導入することと、
少なくとも二の前記ケミカルブロックを、それぞれの少なくとも一部が同時的に溶解するように流体に接触させて、水処理剤を含有する溶液を作製することと、
水系は施設用水系および工業用水系からなる群から選択される、工業用水系に溶液を配合することと、
を具備する、固形水処理剤を水系に配合するための方法。
【請求項５３】
内面に沿って間隙を介して配置されている複数のガイド部材を提供することと、
内面とケミカルブロックの外周との隙間を形成するために、前記ケミカルブロックをガイド部材の間に配置することと、
固形ケミカルブロックを多孔質支持部材とともに室内で支持することと、
流体のスプレーを、前記ブロックの下方から室内へと方向付けることと、
をさらに具備する、前記ハウジングが室を画定する内面を有する、請求項５２に記載の方法。
【請求項５４】
スプレーの一部が、前記ブロックに接触する前に、内面に作用することをさらに具備する、請求項５２に記載の方法。
【請求項５５】
流体スプレーの一部が、前記ブロックに接触する前に、少なくとも複数のガイド部材の一に作用することをさらに具備する、請求項５２に記載の方法。
【請求項５６】
前記スプレーがブロックの側面および底面に接触すること、をさらに具備する、請求項５２に記載の方法。
【請求項５７】
テーパー壁を有する環状スリーブを提供することと、
ブロックの表面を露出するために、少なくとも一のブロックの周辺端部をテーパー壁の内面で支持することと、
流体のスプレーをブロックの下方からスリーブ内に方向付けることと、
をさらに具備する、前記ハウジングは内室を画定している内面を有する、請求項５２に記載の方法。
【請求項５８】
前記ブロックが溶解する時に、前記スプレーに対して前記ブロックの底面の実質的に同一の領域を露出すること、をさらに具備する、請求項５２に記載の方法。
【請求項５９】
（ａ）質量平均分子量が約２５００から約２００００であり、組成物中に約３４質量％から約５６質量％存在する、ポリエチレングリコールであるマトリックス成分と、
（ｂ）尿素からなり、組成物中に約３質量％から約７．５質量％存在する、圧縮成分と、
（ｃ）１−ヒドロキシエタン−１，１−ジホスホン酸、および、ホスホノコハク酸オリゴマー、からなる群から選択され、組成物中に約１４質量％から３５質量％存在する防蝕剤と、
（ｄ）ベンゾトリアゾール、トリルトリアゾール、およびハロゲン化トリルトリアゾールからなる群から選択され、組織物中に約２質量％から約１５質量％存在する、黄色金属防蝕剤と、
（ｅ）ピレンテトラスルホン酸ナトリウム塩、１，３，６，８−ピレンテトラスルホン酸ナトリウム塩、フルオレセイン、モリブデン酸、バナジン酸塩、およびナフタレンジスルホン酸ナトリウム塩からなる群から選択され、組成物中に約０．１５質量％から約１．１質量％存在する、探知剤と、
を具備する、水処理のための組成物。
【請求項６０】
分散剤は、標識化されたスルホメチル化アクリルアミド／アクリル酸、部分ナトリウム塩、ターポリマーを含む、アミン置換スルホメチル化アクリルアミドアクリレートターポリマー、ポリアクリレート、硫酸スチレン無水マレイン酸、および、スルホメチル化アクリルアミドアクリレートターポリマー、からなる群から選択され、組成物中に約９質量％から約４２質量％存在すること、をさらに具備する、請求項５９に記載の組成物。
【請求項６１】
水垢抑制剤は、２−ホスホノブタン−１，２，４−トリカルボン酸四ナトリウム塩、１−ヒドロキシエチリデン−１，１−ジホスホン酸、および、アミノトリメチレンリン酸からなる群から選択され、組成物中に約１４質量％から約１６質量％存在すること、をさらに具備する、請求項５９に記載の組成物。
【発明の詳細な説明】
【技術分野】
【０００１】
本発明は、一般的に、水系に配合するための処理剤の固形ケミカルブロックから液処理溶液を製造する装置および方法に関する。
【背景技術】
【０００２】
配合装置は、施設的および工業的環境に設けられた水系を処理する際に、化学物質を加えるために一般に使用されている。配合装置は、一般に、処理剤を配送して、水系内での水垢の発生、腐食、汚染、および微生物の成長等の好ましくない現象を抑制する。この処理剤は、通常、水のような流体を利用して、粉末状、ブリケット状、又はブロック状の固形化学物質へと調整され、これら固形材料から溶液を得る。こうして得られた溶液は、その後、水系に配送される。
【発明の開示】
【発明が解決しようとする課題】
【０００３】
しかしながら、従来の配合装置は、施設的および工業的環境における多くの小規模な水系には不適当であった。多くの施設的および工業的環境には、設備に対して常設用に設計された現行の配合装置を適切に確保する場所や容量が単に欠如している。また、従来の配合装置は、通常、化学溶液を作製するために用いる流体、すなわち水、のための様々なシステム制御（例えば、温度制御、液体流速制御、液体配送調節）に関与している。このことは、残念ながら、外部電源（設備的又は工業的環境において、資源はすぐに入手可能でないかもしれない。）へのアクセス追加要求だけでなく、運転者の注意をも要求する。
【０００４】
それゆえに、安全で、効果的で、且つ、メンテナンスの必要が少なく、工業用水系への配送を目的として、固形化学物質から溶液を作製するために、即時可動な装置に対するニーズが存在する。環境温度で一般の水道水が使われたときに、安定的で効果的な水処理溶液を提供できる化学組成物に対してのニーズが、さらに存在する。
【課題を解決するための手段】
【０００５】
発明の要旨
本発明の実施態様によれば、固形ケミカルブロックから化学溶液を配合するための容器が提供される。この容器は、室を画定する内面を含んでいる。複数のガイド部材は、内面に沿って間隙を介して配置される。ガイド部材は、室の内面とブロックの外周との間に隙間を形成するように、室内の少なくとも一のケミカルブロックに位置する。多孔質支持部材は、室内の少なくとも一のケミカルブロックを支持する。スプレー部材は、支持部材の下に位置し、スプレーを内室の垂直方向長さに沿って上方に方向付けている。このスプレーは、溶液を作製するために、ブロックの表面に接触する。
【０００６】
本発明の他の実施態様によれば、固形ケミカルブロックから溶液を作製するための容器は、室を画定する内面を有している。テーパー壁を有する環状スリーブはその室内に配置されている。それによって、テーパー壁はスリーブを貫くじょうご状の通路を形成する。この通路の径は、テーパー壁がその内面から径方向の内側および下側に延在するにつれて、小さくなる。少なくとも一のケミカルブロックの周辺端部は、テーパー壁の内面に支持的に接触して配置され、特にブロックの底面において表面を露出している。スリーブの下に位置しているスプレー部材は、スプレーをスリーブの垂直方向長さに沿って上方に方向付ける。スプレーは、ブロックの表面に接触し、溶液をなす。テーパー壁は、スプレー部材に向かって内面から下方向内向きに延在している。
【０００７】
さらに、本発明のその他の実施態様によれば、固形ケミカルブロックから化学溶液を作製する装置が提供される。この装置は、内室を有するハウジングと、内室中のケミカルブロックを支持しているハウジング内の多孔質支持部材と、を有する。流体注入口は、流体を室内へ、およびケミカルブロック上に導入し、ケミカルブロックの少なくとも一部を溶解して溶液を作製する。コンテナは、溶液を受容する。また、この装置は、コンテナ内に存在する溶液の量を検出するための検出装置を有する。この検出装置は、流体注入口と作動中に連通しており、コンテナ内の溶液の量が閾値を下回るとき、流体を導入するために流体注入口を方向付ける。
【０００８】
本発明の他の実施態様によれば、固形ケミカルブロックから化学溶液を作製するための装置が提供される。この装置は、室を画定するハウジングと、この室内に配置されている複数の固形ケミカルブロックと、を有している。流体を室内に導入するための流体注入口は、ハウジングの入射端部上に配置されている。少なくとも二のブロックは、流体との接触により、実質同時に溶解し、化学物質又は固形ブロックの化学薬品を含有する溶液をなす。この装置は、さらに、溶液を室から放出するために、室と液体で連通している排出部材を有する。排出部材は、入射端部に対向するハウジングの一端部上に配置されていてもよい。
【０００９】
さらに、本発明の他の実施態様によれば、固形ケミカルブロックから化学溶液を作製する装置が提供される。この装置は、室を有するハウジングと、室内に配置された固形ケミカルブロックと、を有している。流体を室内に導入するための流体注入口は、室の第１端部に位置している。室内に導入された流体は、ケミカルブロックに接触し、該ブロックの少なくとも一部を溶解して溶液をなす。溶液を室から放出するための流体排出口は、室の第１端部に対向する一端部に位置している。流体注入口と流体排出口との対向関係は、室を通じた流体の逆流をつくり出す。
【００１０】
本発明のさらなる実施態様によれば、室を画定している内面を持った容器を有し、処理を要求する水系を有する、施設用の又は工業用の設備が提供される。内面に沿って間隙を介して配置されている複数のガイド部材は、少なくとも一のケミカルブロックを位置づけ、内面とブロックの外周との間に隙間を形成している。多孔質支持部材は、室内で少なくとも一のケミカルブロックを指示するために、ハウジング中に配置されている。この支持部材の下に配置されている水注入口は、水が、内室の垂直方向長さに沿って上方に流れることを許容する。この水は、一又は二以上のブロックの表面に接触し、溶液をなす。この設備は、また、上記容器と液体で連通している、施設用水系又は工業用水系を含んでいる。溶液は、系内の水を処理するために、容器から、施設用水系又は工業用水系に、配合されていてもよい。
【００１１】
また、本発明は、固形の水処理剤を、施設用水系および工業用水系からなる群から選択される水系へ配合する方法を提供する。この方法は、
（ｉ）水処理剤を含有しており、ハウジング内に配置されている、少なくとも二の固形ケミカルブロックを有するハウジングを提供することと、
（ｉｉ）流体をハウジング内へ導入することと、
（ｉｉｉ）少なくとも二のケミカルブロックのそれぞれ一部を同時に溶解して、水処理剤を含有する溶液をなすために、流体とこの少なくとも二のケミカルブロックとを接触させることと、
（ｉｖ）この溶液を工業用水系に配合することと、
を含んでいる。
【００１２】
固形ケミカルブロックは、マトリックス成分と、圧縮成分と、防蝕剤と、黄色金属防蝕剤と、探知剤と、を含有する、水処理組成物であってもよい。その組成物は、分散剤や水垢抑制剤を含んでいてもよい。
【発明の効果】
【００１３】
本発明は、固形ケミカルブロックから液体水処理剤を作製するために用いる可動な装置を、有利に提供する。この装置は、その運転に際し、運搬および組み立てが簡易である。この装置は、外部のエネルギー源を全く必要としないため、運転のためのメンテナンスをほとんど又はまったく要さない。この装置は、まったくの重力駆動型であってもよい。固形ケミカルブロックは、環境温度の通常の水道水が接触したときに、直ちに溶解するようになっていてもよい。
【００１４】
本発明の追加的特徴および利点は、以下の、現時点で好ましい実施形態の詳細な説明中に記載されており、これから明らかとなっている。
【発明を実施するための最良の形態】
【００１５】
図の全般において、符号は構造や要素を意味する。特に図１〜３では、化学溶液を配合するための、本発明の容器１０を示している。容器１０は、室１６を画定する内面１４を有するハウジング１２を含んでいる。ハウジング１２は、形状が環状で、実質的に垂直方向に配置されていてもよく、また、例えば、円筒形のような、他のいかなる適切な形状であってもよい。ハウジング１２は、当業分野において周知のように、高度の苛性、および／又は、腐蝕性の組成物および溶液に対する露出に耐え得る、いかなる適切な材料から構成されていてもよい。ハウジング１２は、変性ステンレス鋼、又は、不活性重合体又はプラスチック剤を含む、ステンレス鋼でつくられていてもよい。ハウジング１２は、室１６の中身が運転者から直ちに見えるように、透明又は半透明な材質で構成されていてもよい。
【００１６】
多孔質支持部材又はスクリーン１８は、内室１６中に取り付けられ、固形ケミカルブロック２０の実質水平支持を提供している。スクリーン１８は、当業分野において周知のように、内室１６に、常設的に又は可動的に確保されていてもよい。スクリーン１８は、内面１４に取り付けられた周フランジ（不図示）で支持されていてもよく、それによって、スクリーン１８を、洗浄やメンテナンスのために、ハウジング１２から直ちに取り外すことができる。スクリーン１８は、また、ブラケット、バー、又は、スクリーン１８を所定の位置に保持することができるその他のいかなる固定具、によって支持されていてもよい。スクリーン１８は、スクリーン１８の下に配置されているスプレー部材又はノズル２６からケミカルブロック２０上へなされる、流体スプレー２４の作用および接触に干渉しない、複数の孔２２を有している。
【００１７】
スクリーン１８は、容器１０を、上部２８および下部３０に分割する。複数のガイド部材３２、３４、３６、および３８は、図１および２に示すように、上室部２８において、内面１４に沿って延在している。ガイド部材は、内面１４又はスクリーン１８のいずれか又は両方に、要望に応じて常設的に又は可動的に取り付けられていてもよい。ガイド部材３２、３４、３６、および３８は、ケミカルブロック２０を室１６の略中心に配置するために、内面１４に沿って間隙を介して配置されている。ケミカルブロック２０は、通常、スクリーン１８の中心部上で重ねて置かれつつ、上室部２８に留め置かれる。
【００１８】
ガイド部材は、図１に示すように、上室部２８の一部に沿って延在していてもよい。あるいは、ガイド部材は、スクリーン１８からハウジング１２の上端７６までの上室部２８の全長に亘って延在していてもよい。ガイド部材３２、３４、３６、および３８は、ハウジング１２の材質と同一の又は異なる材質でつくられてもよい。ケミカルブロック２０は、一又はすべてのガイド部材と接触しうるため、斯かるガイド部材は、例えば、ステンレス鋼、変性ステンレス鋼、又は重合体のように、ケミカルブロック２０の組成に対して実質的に不活性な材質から構成されていてもよい。あるいは、ガイド部材は、上室部２８の全長に亘って延在していてもよい。
【００１９】
ガイド部材３２、３４、３６、および３８は、ケミカルブロック２０を、上室部２８の略中心部およびスクリーン１８の略中心部に配置する、又は据えるために、いかなる形状および／又は大きさに形成されていてもよい。図１は、略正方形の断面形状を有するガイド部材３２、３４、３６、および３８を示す。ガイド部材３２、３４、３６、および３８は、このことにより、図２で示すように、内面１４とケミカルブロック２０の外周との間に隙間を形成する。ガイド部材は、多角形、三角形、弓状、円形、又は楕円形のものを含む、しかし、これらに限定されない、いかなる適切な断面形状を有していてもよいと理解される。ガイド部材の大きさは、容器１０の運転要求によって変わるため、様々であってよい。例えば、ガイド部材３２、３４、３６、および３８は、ケミカルブロック２０の外端４８とそれぞれ接している内面４０、４２、４４、および４６を有している。あるいは、ガイド部材は、内面４０、４２、４４、および４６、並びにケミカルブロック２０の外端４８との間に、実質まったく接触しないように採寸されていてもよい。当業者は、本発明の範囲を減縮しなくとも、このハウジング１２は少なくとも二のガイド部材、又は多くとも六以上のガイドメンバーを有していることに気づくであろう。すべてのガイド部材は容器自体の中に形成されていてもよいし、また、別途に加工されて後で追加されてもよい。
【００２０】
本発明の実施例において、ガイド部材５０、５２、および５４は、図３に示すように、ケミカルブロック２０が、上室部２８の略中心部にくるように、これを保持又は配置する。ガイド部材のそれぞれは、内面１４および保持部材５８に接触している支持アーム５６を含んでいる。それぞれの保持部材５８は、図３に示すような弓形をしているが、当業者は、この保持部材が、例えば、直線のような、いかなる形状であってもよいということを察するであろう。ガイド部材５０、５２、および５４は、ブロックの外端４８と内面１４との間に隙間を提供する。図２および３から明らかなように、ガイド部材５０、５２、および５４は、ガイド部材３２、３４、３６、および３８を用いる場合よりも、ブロック２０の相当少ない領域を覆っている。ガイド部材５０、５２、および５４は、それによって、ガイド部材３２、３４、３６、および３８が用いられるときに曝されるブロック２０の領域と比較して、ブロック２０のより広い領域が流体スプレー２４に曝されることを許容している。このことは、ケミカルブロック２０を迅速に溶解することが必要である、高需要の工業的利用において有利である。
【００２１】
流体配送システム６０は、図１に示すように、流体をノズル２６に配送するために、該ノズル２６と液体で連通している。流体配送システム６０は、バルブ６３と流体源（不図示）とを含んでいる。本発明の流体は、ケミカルブロック２０を溶解することができれば、液体、又は液体および気体の組み合わせのように、当業分野で知られている、いかなる流体であってもよい。この流体は、例えば、水でもよいし、通気されたもの、又は圧縮空気と水の流体混合物、等であってもよい。流水は、圧力下、ノズル２６まで配送されてもよい。
【００２２】
流体源は、例えば、タンクに貯蔵されている水や井戸水、又は地域行政が供給する水のように、いかなる水源であってもよい。実施例の中では、流体源は市の水系である。このように、本発明の利点は、本発明で用いられる水が、容器１０に導入される前に一切処理が要求されないという点にある。さらに、ケミカルブロック２０は、市の上水道からの水のような一般的な水道水との接触で、即時に溶解することを許容する組成を有していてもよい。このように、ケミカルブロック２０は、環境温度において一般的な水道水との接触で即時に溶解してもよい。通常の水道水は、概して、その温度が約１℃から約６０℃の範囲内にある。それゆえに、この温度範囲にある水道水はケミカルブロック２０を即時に溶解させる。このことは、本発明の利点を明示し、それによって容器１０が通常の水道水の供給に即時に連結され、水温制御システムの使用なしで運転されることを意味する。
【００２３】
ハウジング１２は、ケミカルブロック２０の量が閾値を下回るときを検出するための、ケミカル検出器２１を備えていてもよい。ケミカル検出器２１は、運転者が容器１０に注意を向けるように警告するとき、信号（例えば、光又は警報音）を発生する。
【００２４】
ノズル２６は、流体スプレー２４がスクリーン１８を通じて容器上部２８へ上方に届くように、スクリーン１８の下の下部３０に配置されている。流体スプレー２４は、ケミカルブロック２０と接触し、該ブロックは溶解する。ケミカルブロック２０の溶解は、ケミカルブロック２０から溶解したケミカルを含む溶液６１をなす。流体スプレー２４がケミカルブロック２０に接触し続けているとき、溶液の溶滴がケミカルブロック２０上に形成され、その溶滴がスクリーン１８を通じて、スクリーン１８の下に配置されているコンテナ６２中に滴下される。溶液６１は、容器１０の下部、さもなければ、容器下部３０に位置するコンテナ６２にまとまる。
【００２５】
ノズル２６内のスプレー圧は、約１ｐｓｉから約１００ｐｓｉの範囲に及ぶことがある。好ましくは、約１０ｐｓｉから約３０ｐｓｉ、さらに好ましくは、約２０ｐｓｉである。
【００２６】
ガイド部材によって内面１４とブロック２０との間に隙間を形成するケミカルブロック２０の配置は、流体スプレー２４をケミカルブロック表面の広い領域と接触することを有利に可能とする。図１に示すように、流体スプレー２４は、ケミカルブロック２０の底面６４に直接作用する。加えて、流体スプレー２４の一部は内面１４に作用し、その後、偏向してケミカルブロック２０に接触する。この偏向した流体スプレーは、ケミカルブロック２０の側面６６に接触してもよい。偏向した流体スプレーは、さらにケミカルブロック２０の上面６８に作用および接触してもよい。偏向した流体スプレーはまた、ケミカルブロックの底面６４に接触してもよい。ケミカルブロックは、流体スプレー２４の直接的又は間接的接触に対して、より大きな領域を露出するために、中心に配置されているとよい。流体スプレー２４の一部は、また、一の、いくつかの、又はすべてのガイド部材から偏向があってもよく、その後、同様にケミカルブロック２０に接触してもよい。このように、ガイド部材、並びに、ブロック２０および内面１４との間にできる隙間の提供は、固形物の一の表面のみが流体スプレーに曝されている配合装置と比べたときに、ケミカルブロックのより迅速な溶解を有利に提供する。このように、容器１０は、化学処理の高い要求をするシステムにも、うまく適応する。
【００２７】
ハウジング１２は、図１に示すように、複数のケミカルブロック２０ａ、２０ｂ、および２０ｃを好適に含んでいてもよい。ブロック２０と同様に、ケミカルブロック２０ａ、２０ｂ、および２０ｃは、ガイド部材３２、３４、３６、および３８によって、上室部２８の略中央部に配置される。ブロックは、ケミカルブロック２０ａの底面７０が上面６８に支持され、ブロック２０ｂの底がブロック２０ａの上面で支持されるといったように、実質的に垂直に積み重なった構造で配置される。
【００２８】
本発明において有用なケミカルブロックの形状は、室１６の内寸によってのみ限定される。これらの図面に描かれているように、ケミカルブロック２０は一般的に、円筒台形（ｃｙｌｉｎｄｒｉｃａｌｌｙ  ｔｒａｐｅｚｏｉｄａｌ  ｓｈａｐｅ）となるように描かれる。他の可能な形状として、円錐台形（ｔｒｕｎｃａｔｅｄ  ｃｏｎｅｓ）、角柱円筒（ｐｒｉｓｍａｔｉｃ  ｃｙｌｉｎｄｅｒｓ）、球形、立方体、円盤形状のような、しかしこれらに限定されない、積み重ねることができるいかなる形状をも含む。
【００２９】
流体スプレー２４が上室部２８に導入されるとき、スプレーの一部がブロック２０ａ、２０ｂ、および２０ｃの表面に接触してもよい。流体スプレー２４は、ブロック２０、２０ａ〜２０ｃのいずれかに直接的に作用し、接触してもよく、又は、第１作用内面２４によって、いずれかのケミカルブロック、および／又はいずれか又はすべてのガイド部材３２、３４、３６、および３８に間接的に接触して、その後ブロック２０、２０ａ〜２０ｃに作用してもよい。当業者は、スプレーのパターンおよび流体スプレー２４の出口圧力が、一又は二以上のケミカルブロックに要求どおり接触し又は濡れるように調整されることを、考慮するであろう。
【００３０】
図１では、溶液が、容器から設計された排出ポート７２を通じて排出されないで容器中に残る、バルブの不具合が、万一発生したときに、溶液の排水を許容するように設計された、随意的越流ポート３５が容器に設けられている。
【００３１】
本発明は、容器１０が、化学処理を要求する装置に即時に接続又は切断してもよい、一体型の、又は、自立型のユニットであってもよいことを意図する。自立型容器１０は、移動可能又は携帯可能であるため、有利である。移動可能とは、装置１０が、建物又は他の支持基盤等のいかなる支持構造にも永久的に固定されないことを、意味する。その結果、容器１０は、携帯型にするために、車輪付き基礎の上に設けられてもよいし、また、容器１０を移動させるために、フォークリフト又は他のいかなる種類の持ち上げ装置によっての持ち上げをも許容する、持ち上げ台等の上に取り付けられてもよい。又は、車輪は、容器の下部に固定してもよく、そうすることで該容器を所望の場所へ移動させることができる。
【００３２】
本発明の鍵となる有用な特徴は、容器１０が完全に重力駆動型であって、操作に外部電源を一切必要としない点にある。
【００３３】
コンテナ６２は、溶液６１を排出するための排出ポート７２を含んでいる。排出ポート７２は、周知のような化学処理を要求している水系と液体で連通するように、好適に配置されている。排出ポート７２は、施設用水系および工業用水系からなる群から選択される水系との流動的連通の中に配置されていてもよい。
【００３４】
配合容器１０によって処理されるであろう、例に限定されない好適な施設用水系は、ホテル、病院、保険施設、養護施設、教育機関構内、およびレクリエーション施設、を含む。施設用水系の広範な小口の下を通って来る他の水系は、装飾的噴水、入浴槽、渦流浴の浴槽、水泳プール、親水公園、および、多量の非飲料水を要求するテーマパークの娯楽施設を含む。
【００３５】
配合容器１０によって処理されるであろう、例に限定されない好適な工業用水系は、開放再循環冷却水系、閉鎖冷却水系、および貫流冷却水系、を含む冷却水系；ボイラーおよびボイラー水系；石油坑水系、油井穴形成、地熱井、および他の油田用途；鉱物洗浄系、浮遊水系、施し水系（ｂｅｎｅｆａｃｔｉｏｎ  ｗａｔｅｒ  ｓｙｓｔｅｍｓ）を含む選鉱水系；製紙用装置、洗浄機、漂白装置、白水系；パルプ工業の黒液蒸発機；ガス洗浄機および空気洗浄機；冶金の連続鋳造プロセス；空調装置および冷凍装置；工業加工用および石油精製用水系；殺菌水のような間接接触冷却水系および間接接触温水系；水再生および浄化水系、膜ろ過水系；食品加工水流（肉、野菜、甜菜、さとうきび、穀物、家禽、果物および大豆）；および浄化器とともにある廃棄物処理装置、液体−固体散布、市の汚水処理、および、工業水系又は市の水系を含む。
【００３６】
具体例であるがこれらに限定されないものとして、容器１０は、約２フィート（６０ｃｍ）から約７フィート（２１３ｃｍ）の高さにすることができる。容器１０のこのコンパクトさおよび携帯性が、容器１０を、例えば、一棟の建物又は一の噴水に供給される水系のような少量の工業用水系に、理想的に適したものとしている。単に水道水の供給における連結を運転するための容器１０は、容器１０を非常に多用途化し、そして、施設に取り外し可能に設置し、且つ、ほとんどあるいは全く人間が関与しないで運転することを可能としている。
【００３７】
容器１０は、図１に示すように、ハウジング１２の上端７６に枢動可能に取り付けられたカバー７４を含んでいてもよい。カバー７４は、ブロック２０がスプレーされている間、すべての流体スプレーおよびハウジング１２内の空中の溶液を、実質的に含んでいる。閉鎖位置において、カバー７４は、運転者の周辺および容器１０の周辺領域を、ハウジング１２の上部からの腐蝕剤、又は腐蝕性のケミカルスプレー、および／又は溶液の誤った排出、から保護する、安全装置の役割を果たす。系１０に追加のケミカルブロックが設けられているとき、カバー７４は、室１６への接近手段を提供する開放位置へ移動する。
【００３８】
さらなる安全対策として、容器１０は、カバー７４の位置を探知するための探知装置７８を備えていてもよい。探知装置７８は、ヒンジ部材８０および流体配送システム６０と作動中に連通するように設定されている。カバー７４が開放位置にあるとき、探知装置７８は、流体配送システム６０がノズル２６へ流体を配送することを妨げる。これに対応して、カバー７４が閉鎖位置にあるとき、探知装置７８は流体配送システムが流体をノズル２６へ配送することを許容する。探知装置７８は、機械的に、又は、電気的に作動されてもよく、また、バルブ６３を通じた流体の流れを調整するために、周知のように、バルブ６３と電気的又は機械的連通をしていてもよい。探知装置７８は、バルブ６１の開放メカニズムを遮断するための突出部材を動かす、周知のような機械的スイッチ、ヒンジ、又は枢動ピンであってもよい。単純で信頼性のある機械的な探知装置は、便利さ、メンテナンスの少なさ、および使用の容易さといった、本発明の利点に沿って使用されてもよい。
【００３９】
探知装置がない場合は、カバー７４は、ロック、および、「水が止まるまで、このカバーのロックを解除しないでください。」という旨の警告表示と共に、安全が確保されていてもよい。
【００４０】
容器１０は、コンテナ６２中に存在する溶液の量を検出するための検出装置８２を、周知のように、さらに含んでいてもよい。検出装置８２は、流体配送システム６０と、作動中に連通しており、コンテナ６２中に存在する溶液６１の量が閾値を下回るとき、バルブ６３を開放するように設定されている。検出装置８２が、溶液が閾値を下回っていることを検出するとき、検出装置８２は、流体がシステム６０から流れ、上記のようにケミカルブロック２０を溶解するノズル２６へ配送されることを、許容する。このことにより、追加の溶液が作製され、コンテナ６２中に蓄積される。一旦、コンテナ６２中の蓄積された溶液６１の量が、閾値より上で溶液の水面を上昇させる程度十分になると、検出装置８２はバルブ６３を閉鎖するように設定される。この検出装置は、電気的又は機械的装置であってもよい。
【００４１】
一実施例において、検出装置８２は、図１で示すように、溶液６１の表面上で浮いている浮き８４を備えた機械的装置である。浮き８４は、バルブ６３に枢動自在に設けられたアーム８６に連結している。溶液６１は排出ポート７２を通じて排出されるため、コンテナ中の溶液の水面は低下する。一旦、この水面が閾値よりも下へ下がると、アーム８６によって伝えられる枢動運動は、バルブ６３を閉鎖するための閾値より上に浮き８４を上げるのに十分な溶液がコンテナ６２に補充されるまで、バルブ６３を十分開放する。探知装置７８又は検出装置８２の片方又は両方は、周知のように、
それぞれの装置および流体配送システム６０と作動中に連通するように配置されるかもしれない制御装置８８によって作動されてもよい。
【００４２】
本発明の一実施例において、化学溶液を配合するための容器１１０が、図４で示すように、提供される。容器１１０は、室１１６を画定する内面１１４を備えたハウジング１１２を含んでいる。ハウジング１１２は、円筒状であってもよく、上記のように実質的に垂直方向に配置される。支持部材又はスクリーン１１８は、永久的に又は取り外し可能に、実質水平になるように、内室１１６内に取り付けられている。
【００４３】
図４では、溶液が、容器から設計された排出ポート１４４を通じて排出されないで容器中に残る、バルブの不具合が、万一発生したときに、溶液の排水を許容するように設計された、随意的越流ポート１５６が設けられている。
【００４４】
テーパー壁１２２を有するスリーブ１２０は、スクリーン１１８上の内室１１６中に配置されている。スリーブ１２０の上端１２４は、内面１１４と接しており、内面１１４で固定されていても、されていなくてもよい。下端１２６はスクリーン１１８へ接しており、スクリーン１１８に固定されていても、されていなくてもよい。このように、スクリーン１１８は、要求どおり、内面１１４又は下端１２６へ固定されていてもよい。あるいは、下端１２６がどの構造にも取り付けられていない場合もある。テーパー壁１２２は、内面１１４から径方向内側の室１１６内部に向かって延在していてもよい。テーパー壁１２２は、それゆえに、上端１２４から下端１２６にかけて段階的な又は可変の径を有する通路１２８を形成する。上端１２４の通路１２８の径は、下端１２６のそれよりも大きい。通路１２８の径は、上端１２４から下端１２６へと、スリーブ１２０を提供しながらも、図４で示すように、略フラストコニカル形状（ｆｒｕｓｔｃｏｎｉｃａｌ  ｓｈａｐｅ）を維持したまま、実質一定の形状で減少する。
【００４５】
固形ケミカルブロック１３０は室１１６内に配置され、上端１２４で通路１２８に入る。ケミカルブロック１３０は、図４に示すように、略台形縦長断面形状を有しているように描かれる。ケミカルブロック１３０の他の可能な形状は、円錐台形（ｔｒｕｎｃａｔｅｄ  ｃｏｎｅｓ）、角柱円筒（ｐｒｉｓｍａｔｉｃ  ｃｙｌｉｎｄｅｒｓ）、球形、立方体、円盤形状のような、しかしこれらに限定されない、積み重ねることができるいかなる形状をも含む。
【００４６】
どのような形状のケミカルブロック１３０が選択されても、上端１２４は、ケミカルブロック１３０の最大径よりも大きく、下端１２６はケミカルブロック１３０の最大径よりも小さい径を有している。ケミカルブロック１３０は、室１１６中に配置されてもよく、このとき、最も外側の周辺端部１３２は、通路１２８に入る際におけるブロックの最初の部分となる。ケミカルブロック１３０は、通路１２８の径が最も外側の周辺端部１３２に沿ったケミカルブロック１３０の径と同等か、あるいはやや小さくなるまで、通路１２８を継続して通る。ケミカルブロックが通路１２８中にあるとき、最も外側の周辺端部１３２は、テーパー壁１２２の内面と、支持的な接触がある。このように、ケミカルブロック１３０は、テーパー壁１２２において、その最も外側の周辺端部１３２の実質全周に沿って、支持的な接触がある。この配置により、ケミカルブロック１３０の底面１３４の実質すべての領域が曝される。
【００４７】
容器１１０の下部に設けられたスプレー部材又はノズル１３６は、スクリーン１１８を通じてスリーブ１２０内へ入ろうとする実質一定の流体スプレー１３８を、上方に届くように、スクリーン１１８の下に配置される。流体スプレー１３８は、ケミカルブロック１３０の底面１３４に作用し、それによって、上記のように該ブロックは溶解する。ケミカルブロック１３０の溶解は、溶解された化学物質を含有する溶液１４０をなす。溶液１４０はスクリーン１１８を通じて滴下し、スクリーン１１８を通じて、スクリーン１１８の下に配置されているコンテナ１４２中でまとまる。
【００４８】
ケミカルブロック１３０は底面に沿って溶解するため、最も外側の周辺端部が溶解する。これが起こるため、ブロックは、ブロック１３０の加重によって、通路１２８を通じて下方向へ移動し、ブロックの最下端周辺をテーパー壁１２２の内面と共になす支持接触に対して継続的に押される。これで、ケミカルブロックの底面の領域を実質均一に、又は、ブロック１３０が消滅するまで一定に露出することにより、ケミカル配合装置を有利に作製する。流体スプレー１３８のスプレーパターンに対する実質均一な底面暴露の条件は、各スプレーの塗布と共にコンテナ１４２へ配送される化学物質の量を、実質一定に確保する。ブロック１３０が、テーパー壁１２２によって支持できなくなるまで溶解されたとき、ブロックは完全に溶解するまで、スクリーン１１８によって保持される。
【００４９】
積み重ねられた、又は、実質垂直方向に配置された複数のケミカルブロックは、スリーブ１２０内に配置されてもよい。最も下に位置するブロックの最も外側の周辺端部は、複数のブロックを支持するために、テーパー壁１２２の内面と共になす支持接触をしてもよい。最も下のブロックが流体スプレーとの接触によって溶解するため、複数のブロックの重量は、最も下のブロックを、スリーブを通じて下方向へ移動させ、最終的にはスクリーン１１８上へ移動させる。一旦、最も下のブロックがテーパー壁１２２によって支持されなくなると、垂直方向に配列された次のブロックの周辺端部が、テーパー壁１２２の内面と共に支持接触をなす。
【００５０】
コンテナ１４２は、工業用水系と液体で連通するように容器１１０を配置するための排出ポート１４４を含んでいてもよい。容器１１０は、上記のように、移動可能である。
【００５１】
容器１１０は、ノズル１３６と液体で連通して、流体をノズルへ配送するための、流体配送システム１４６も含む。流体配送システム１４６は、バルブ１４８と、上記の流体源と、を備えている。流体配送システム１４６は、環境温度の水道水をノズル１３６へ配送してもよい。
【００５２】
容器１１０は、カバー１５０、および、カバー１５０と流体配送システム１４６とに運転可能に接続された探知装置１５２も、さらに含んでいてもよい。コンテナ１４２中の溶液および流体配送システム１４６と作動中に連通している検出装置１５４もまた、コンテナ１４２中に存在する溶液のレベルを検出するために、供給されてもよいし、溶液のレベルが上記閾値を下回ったときに、流体を配送するために、流体配送システム１４６の設定又は方向付けをしてもよい。容器１１０は、安全機能として、越流ポート１５６を含んでいてもよい。
【００５３】
本発明の一実施形態において、図５および図６は、化学溶液を固形ケミカルブロックから作製するための装置２００を描いている。装置２００は、内室２１２を画定しているハウジング２１０を備えている。多孔質支持部材２１４は、室２１２内で、一以上の固形ケミカルブロック２１６を支持している。支持部材２１４は、図５に示すように、平面スクリーン２１８であってもよい。あるいは、支持部材２１４は、図６に示すように、スクリーン・バスケット２２０であってもよい。スクリーン２１８および／又はスクリーン・バスケット２２０は複数のブロックを支持してもよい。
【００５４】
流体注入口２２２は上記ケミカルブロック２１６の上に配置されており、流体２２４をケミカルブロック２１６上にて導入する。流体注入口２２２は、流体源と液体で連通しており、室２１２内への流体２２４の流れを制御するために、バルブ２３８を備えていてもよい。ケミカルブロックの上に配置されているため、流体注入口２２２は、流体２２４をブロック上に注ぐ方法、すなわち、流体が単に重力によって流れ落ちる方法、で導入できる。あるいは、流体注入口２２２は、例えばノズルのように、流体２２４をスプレー又は加圧スプレーとして導入するための、スプレー部材であってもよい。流体２２４は、市の上水道からの水道水で、上記のように、該流体は環境温度であってもよい。
【００５５】
ケミカルブロック２１６との接触で、流体２２４は、溶滴として多孔質支持部材２１４を通じて滴下し、コンテナ２２８中でまとまって、溶液２２６をなす。コンテナ２２８中に存在する溶液の量を検出するための検出装置２３０は、流体注入口２２２と作動中に連通している。検出装置２３０は、コンテナ２２８中の溶液２２６の量又はレベルを検出又は探知できる、周知のような、いかなる装置であってもよい。結果として、検出装置２３０は、機械的装置、光学装置、又は重量、容積、又は液体探知の装置であってよく、溶液２２６と液体で連通していてもしていなくてもよい。このようにして、検出装置２３０は、周知のように、流体注入口２２２と、機械的、電気的、光学的連通をなしていてもよい。
【００５６】
検出装置２３０は、コンテナ中の溶液の量が閾値を下回ったときに流体を導入するために、流体注入口２２２を方向付ける。例えば、検出装置２３０は、溶液２２６と液体で連通し、また、流体注入口２２２のバルブ２３８と機械的に連通している浮遊アーム型装置であってもよい。溶液のレベルが閾値を下回ったとき、流体注入バルブ上で浮遊装置によって負荷されるトルクが、上記のようにバルブ２３８を開く。
【００５７】
あるいは、検出装置２３０は、溶液２２６のレベルが閾値を下回るとき、信号を発してもよい。流体注入口２２２は、信号に反応し、該信号に応答して流体２２４を室２１２へ導入するように設定されてもよい。例えば、検出装置２３０は、溶液のレベルが閾値を下回るとき、電子信号を発生してもよい。流体注入口２２２は、検出装置２３０が発生する電子信号に応答して、流体を導入するためにバルブを開放することができ、且つ、電子的に作動する、ソレノイドと共に設定されていてもよい。検出装置２３０は、光学信号を発してもよく、これに対して、流体注入口２２２は、流体２２４を室２１２へ同様の方法で導入するために、該光学信号を受信し、応答するように設定されていてもよい。
【００５８】
装置２００は、室２１２中へ導入される流体の量を制御するために、制御装置２３２と共に設定されてもよい。制御装置２３２は、検出装置２３０が流体注入口２２２を開放するたびに、均一な又は一定の流体量が室２１２中へ導入されることを確保するために、使用されてもよい。制御装置２３２は、流体注入口２２２又はバルブ２３８を通じて流れている流体の量を測定する水量計であってもよい。水量計は、所定量の流体を室２１２へ導入することを許容するために、流体注入口２２２を開放してもよい。あるいは、制御装置２３２は、流体注入口２２２を所定の時間内において開放する、タイマーであってもよい。もし、流体注入口２２２での流速が一定ならば、流体注入口の所定時間における開放により、流体注入口２２２が開放されるたびに一定量の流体を室２１２へ導入することになる。
【００５９】
装置２００は、装置２００に可動性又は携帯性を持たせる内蔵型ユニットであってもよい。コンテナ２２８は、装置２００が工業用水系と液体で連動するように配置されることを可能とする、排出ポート２３４を備えていてもよい。コンテナ２２８は、さらに、越流排出口２３６を備えていてもよい。
【００６０】
図７は、本発明の他の実施形態に従って化学溶液を作製するための装置３００を示す。装置３００は、室３１２を画定しているハウジング３１０を備えている。複数の固形ケミカルブロック３１４、３１６、３１８および３２０は、室３１２内に配置されている。図７は、四のブロックしか示していないが、室３１２は、少なくとも一から十以上のブロックを保持するように設定されていてもよいと、理解される。
【００６１】
流体注入口３２２は、室３１２内へ流体を導入するために、ハウジング３１０の注入側３２４上に配置されている。流体注入口３２２は、ハウジング３１０に取り付けられていてもよいし、そうでなくてもよい。流体は、例えば、水道水のように、市の上水道からの水で、且つ、該流体は環境温度であってもよい。
【００６２】
流体注入口３２２は、重力下、注ぐ（又は流し込む）方法によって、流体を室３１２内へ導入してもよい。流体は、例えば滴下のように、低流速で、継続的に導入されてもよい。流体は、また、間欠的に又は断続的に、いかなる所望の流速で導入されてもよい。あるいは、流体は、例えばノズルのようなスプレー部材と共に、スプレーとして導入されてもよい。少なくとも、複数のブロック３１４、３１６、３１８および３２０の一部は、溶液をなすために流体と接触するとき、溶解する。一の実施形態において、少なくとも二つのブロックは、溶液をなすための流体との接触によって、実質同時に溶解する。装置３００は、一つ、いくつか、又はすべてのブロック３１４、３１６、３１８、および３２０が流体に接触するように設定されてもよいことが分かる。図７は、ブロック３１４、３１６、３１８、および３２０が、実質垂直方向に積み重なるように配置されていることを示す。流体注入口３２２は、流体を、該積み重ね全体の上から導入して流体が各ブロックに接するように、この積み重ねの上部に設けられている。あるいは、ブロック３１４、３１６、３１８、および３２０は、室３１２内において、積み重ねない方法で、水平方向に配置してもよい。
【００６３】
排出部材３２６は、室から溶液を排出するために、室３１２と液体で連通している。排出部材３２６は、流水式配置を提供している注入側３２４と対向する端部に配置されていてもよい。流水式配置は、流体を、装置３００の第一側および第一端上に導入し、流体を、第一側と対向する第二側および第一端と対向する第二端から排出する。流体は、それゆえに、ハウジング３１０の実質全長を通じて流れる。この配置は、排出部材３２６を通じて存在する溶液中に、大量の化学物質が溶解されることを確実とする。排出部材３２６を出ていく溶液は、化学物質又はケミカルブロック３１４、３１６、３１８、および３２０の化学物質によって飽和させることができる。流体注入口３２２は、ハウジング３１０の上端３２８およびハウジング３１０の対向する下端３３０上に配置されている排出部材３２６の上に、配置することができる。あるいは、流体注入口３２２および排出部材３２６は、複数のブロックの一部が流体に接触するように、互いに関連して配置されていてもよい。
【００６４】
排出部材３２６は、工業用水系と液体で連通するように配置されていてもよい。装置３００は、低需要水系に好適である。装置３００の運転に必要な流体力は、電源を必要としない重力駆動によるものである。さらに、流体注入口３２２は、実質継続的又は断続的な所望の流体の流れを提供するように設定されている。環境水道水の使用は、水の前処理又は温度制御装置の必要を減少させる。装置３００は、独立型ユニットであり、且つ、可動であってもよい。結果的に、装置３００は、施設用水系および工業用水系で構成される群から選択される水系の化学処理において、簡易であり、管理の必要が非常に少ない装置を提供する。
【００６５】
図８は、本発明の他の実施例に基づいた、化学溶液を固形ケミカルブロックから作製するための装置４００を描いている。装置４００は、室４１２を有するハウジング４１０を含んでいる。ハウジング４１０は、室４１２を溶液４３４から分離している。
【００６６】
固形ケミカルブロック４１４、４１６、４１８、４２０、４２２、４２４、４２６は、室４１２内に配置されている。図８は、積み重なって、又は、実質垂直に配置されているブロックを示す。しかし、これらブロックは、室４１２内に、実質水平に配置されていてもよいし、又は、本発明の範囲を損なわないで複数の垂直積み重ねとなるように配置されていてもよい。ケミカルブロックの個数は、１から約１０、２０又はそれ以上の範囲であってもよい。ケミカルブロックは、多孔質支持部材又は平面スクリーン４３０によって、支持されていてもよい。あるいは、ブロックは、室４１２の内面によって支持されていてもよい。
【００６７】
流体注入口４２８は、流体４２９を、室４１２の端部４３２へ導入する。流体注入口４２８は、環境温度の水道水を流体注入口へ供給する、市の上水道と液体で連通していてもよい。流体注入口４１２は、一又は二以上のブロック４１４〜４２８の少なくとも一部に接触し、溶解して、溶液４３４をなすために、流体を端部４３２へ導入する。
【００６８】
流体排出口４３６は、溶液４３４を室４１２からコンテナ４４０へ排出するために、端部４３２と反対側にある反対端部４３８に配置されている。一の実施例において、端部４３２は室の下端であり、反対端部４３８は室の上端である。この低位置注入、高位置排出という配置は、室４１２を通じて逆流を提供する。すなわち、流体および／又は溶液４３４は、室４１２を通じた流体逆流を形成するために、重力に対向して室４１２を通じて流れる。流体は、流体排出口４３６を通じて室から出るために、流体注入口４２８から室４１２を通じて、上向きに流れる。この逆流配置は、溶液４３４が、化学物質又は薬品により飽和又はほぼ飽和であることを確保する。流体は、必要に応じて、室４１２へ継続的に又は断続的に導入される。
【００６９】
溶液４３４と接触しているブロックが溶解するとき、上部に高く積み重ねられているブロックは、最終的に溶液中へと降下する。ブロック４２４および４２６のような、少なくとも一のブロックは、溶液４３４とは接触しないであろう。これは、将来の使用のための室４１２内におけるブロックの直接的内部的な供給を提供する。したがって、装置４００を運転するために要求されるメンテナンスの量を減らす。流体排出口４３６は、ブロック４１４〜４２６の浸水レベルを所望の値に設定するために、垂直方向長さのハウジング４１０に沿ってどこに配置されていてもよい。
【００７０】
装置４００は、コンテナ４４０中に存在する溶液の量を検出するための、検出装置４４２を含んでいてもよい。検出装置４４２は、バルブ４４８と作動中に連通している。検出装置４４２は、コンテナ４４０中の溶液４３４の量が閾値を下回ったとき、バルブ４４８を開放する又は流体を導入する設定をとってもよい。検出装置４４２は、上記流体注入口４２８への流体の流れを制御するために、機械的、電気的、又は光学的な方法で、バルブ４４８と作動中に接続している。
【００７１】
コンテナ４４０は、溶液４３４を工業用水系へ配合するために、工業用水系と液体で連通しているかもしれない排出ポート４４４を含んでいてもよい。装置４００は、それ自体を可動な又は携帯性のあるものとする、内蔵型ユニットであってもよい。
【００７２】
本発明の固形ケミカルブロックは、当業分野で周知のような、施設用水系又は工業用水系の水へ供給する水処理製剤であってもよい。本発明の固形ケミカルブロックの利点は、環境温度の水道水が接触するとき、即時に可溶であることである。
【００７３】
一の実施例において、固形のケミカルブロックは、不活性蛍光トレーサーを周知の割合で含んでいる。ここで容器又は装置と説明されているいずれかから配合される溶液中の不活性蛍光トレーサーの存在は、施設用水系又は工業用水系中で、溶液が監視され、評価されることを許容する。配合された溶液から発せられる、不活性蛍光化学物質の蛍光信号を監視するために、蛍光光度計が使用されてもよい。この技術は、ナルコ  カンパニー（アメリカ合衆国，６０５６３，イリノイ州，ネイパーヴィル，Ｗ．ディール  ロード  １６０１、（６３０）３０５−１０００）の登録商標である、ＴＲＡＳＡＲ（Ｒ）として、商業的に使用可能である。２００４年２月３日に発行され、参考文献として、そっくりそのまま包含される、米国特許番号６，６８５，８４０、「硬水処理剤の溶解速度の決定方法」、を参照されたい。
【００７４】
不活性蛍光化学物質の蛍光信号は、どれだけの不活性蛍光トレーサーが存在しているかを測定するために使用される。存在している不活性蛍光トレーサーの量を知ることにより、工業用水系中に存在する処理剤の量を測定することができる。もし、存在する処理剤の量が所望の量に満たない場合、所望の量の処理剤を供給するために、処理剤の投入量を調整することができる。
【００７５】
本発明の他の実施例において、本発明の固形ケミカルブロックは、マトリックス成分と、圧縮成分と、防蝕剤と、黄色金属防蝕剤と、探知剤と、を有する、水処理用の組成物である。この組成物は、環境温度の水と接触するとき、即時に溶解する。
【００７６】
マトリックス成分は、組成中の水活性成分を浮遊させるのに好適な、水溶性成分であってもよい。マトリックス成分は、平均分子量が約２５００から約２００００であり、さらに、約４６００のときが最も好ましく、融点が５０℃より高い、ポリエチレングリコールであってもよい。マトリックス成分は、組成物の約３４質量％から約５６質量％を占めてもよい。一の実施例では、マトリックス成分は、ダウケミカル  カンパニー社（ミシガン中部）製のＣａｒｂｏｗａｘ  ４６００ＴＭを用いることができる。
【００７７】
圧縮成分はマトリックス成分を補完し、組成物を凝結する。圧縮成分は、組成物の体積を減らし、密度を高める。圧縮成分は、商業的に入手可能な尿素であってよい。一の実施例において、圧縮成分は、組成物の３質量％から７．５質量％を占めていてもよい。
【００７８】
防蝕剤は、当業分野において周知の、炭酸カルシウム安定剤および鉄防蝕剤の組み合わせであってよい。防蝕剤は、１−ヒドロキシエタン−１，１−ジスルホン酸、および、ホスホノコハク酸オリゴマー、からなる群から選択されてもよい。一の実施例において、防蝕剤は、組成物の約１４質量％から約３５質量％を占めていてもよい。
【００７９】
黄色金属防蝕剤は、ベンゾトリアゾール、トリルトリアゾール、および、ハロゲン化トリルトリアゾール、からなる群から選択されてもよい。黄色金属防蝕剤は、組成物の約２質量％から約１５質量％を占めていてもよい。ベンゾトリアゾールが好ましい。
【００８０】
一の実施例において、探知剤は、ピレンテトラスルホン酸ナトリウム塩、１，３，６，８−ピレンテトラスルホン酸ナトリウム塩、フルオレセイン、モリブデン酸、バナジン酸塩、およびナフタレンジスルホン酸ナトリウム塩、からなる群から選択されてもよい。一の実施例において、探知剤は、組成物の約０．１５質量％から１．１質量％を占めている。ピレンテトラスルホン酸ナトリウム塩が、探知剤として好ましい。
【００８１】
本発明の組成物は、さらに、分散剤を含んでいてもよい。分散剤は、標識化されたスルホメチル化アクリルアミド／アクリル酸、部分ナトリウム塩、ターポリマーとして周知の、スルホメチル化アクリルアミドアクリレートターポリマーを含みつつ、なお且つこれに限定されない、アミン置換スルホメチル化アクリルアミドアクリレートターポリマー、ポリアクリレート、硫酸スチレン無水マレイン酸、および、スルホメチル化アクリルアミドアクリレートターポリマー、からなる群から選択される。分散剤は、組成物の約９質量％から約４２質量％を占めていてもよい。一の実施例において、分散剤は、標識化されたスルホメチル化アクリルアミド／アクリル酸、部分ナトリウム塩、ターポリマーとして周知の、スルホメチル化アクリルアミドアクリレートターポリマーである。
【００８２】
本発明の組成物は、また、水垢抑制剤を含んでいてもよい。水垢抑制剤は、２−ホスホノブタン−１，２，４−トリカルボン酸四ナトリウム塩、１−ヒドロキシエチリデン−１，１−ジホスホン酸、および、アミノトリメチレンリン酸、からなる群から選択されてもよい。一の実施例において、水垢抑制剤は、組成物中に約１４質量％から約１６質量％存在していてもよい。水垢抑制剤は、２−ホスホノブタン−１，２，４−トリカルボン酸四ナトリウム塩であることが、好ましい。
【００８３】
以下の処方は、本発明で有用であると分かったケミカルブロック中で、組成可能であることが分かった。
【００８４】
【表１】
2007535404.tif 000003
【００８５】
【表２】
2007535404.tif 000004
【００８６】
【表３】
2007535404.tif 000005
【００８７】
【表４】
2007535404.tif 000006
【００８８】
【表５】
2007535404.tif 000007
【００８９】
以上、現時点において、もっとも好ましいと思われる実施形態に関連して本発明を説明したが、これに対して、様々な変更および修正がなされ得ることが、当業者によって理解される。このような変更および修正は、本発明の請求の範囲から読み取れる発明の要旨あるいは思想に反しない範囲で、また、これに付随する利益を縮小しないで、なすことができる。したがって、このような変更や修正は、添付の請求の範囲によって網羅される。
【図面の簡単な説明】
【００９０】
【図１】本発明における、固形ケミカルブロックから溶液を作製するための、容器の断面図である。
【図２】図１の容器の上面図である。
【図３】本発明の容器の他の実施例の上面図である。
【図４】本発明の他の実施例における、固形ケミカルブロックから溶液を作製するための、容器の断面図である。
【図５】本発明の他の実施例における、ケミカルブロックから化学溶液を作製するための装置の断面図である。
【図６】本発明の容器の、他の実施例の断面図である。
【図７】本発明における、ケミカルブロックから化学溶液を作製するための装置の、他の実施例の断面図である。
【図８】本発明における、ケミカルブロックから化学溶液を作製するための装置の、他の実施例の断面図である。
【図１】
2007535404.tif 000008
【図２】
2007535404.tif 000009
【図３】
2007535404.tif 000010
【図４】
2007535404.tif 000011
【図５】
2007535404.tif 000012
【図６】
2007535404.tif 000013
【図７】
2007535404.tif 000014
【図８】
2007535404.tif 000015
【国際調査報告】
2007535404.tif 000016
2007535404.tif 000017